(57)【要約】【課題】  従来は、手術用ガーゼにおいて、手術の際に万一、電子メス等がガーゼの房の部分に突き出ている造影糸を切断して太くて硬い造影糸の一部が患者の体内に落としてしまう事の無い様、人の手作業で房の部分に突き出ている造影糸を切落としていた。【解決手段】  本発明はこのような従来の造影糸の切断作業を全自動化させる為の大きな問題部分である、ガーゼとガーゼの境部分（房となる部分）の沢山の経糸の中から造影糸だけを分離して切断する物である。【選択図】   図２
2019017398.tif 000002
【特許請求の範囲】
【請求項１】
ガーゼとガーゼの凡そ30ｍｍ程の境部の部分（ヨコ糸が無い部分）を凡そ2.5ｍｍ〜5ｍｍ程の間隔で並んだ補助板の中でガーゼの境部分を山型に屈折させ、ここにエアーを吹き付ける事によって細い綿糸のみを吹き落し、太く束ねた造影糸は2.5ｍｍ〜5ｍｍに並んだ補助板に支えられて吹き落される事無く分離させる事を特徴とする造影糸分離装置。
【請求項２】
ガーゼとガーゼの凡そ30ｍｍ程の境部の中心を山型に屈折させてエアーを吹き付けて造影糸と綿糸を分離させ造影糸だけを掴んで引き揚げ、造影糸の中に幅いっぱいに両刃のカッターを押し込んで造影糸の幅いっぱいの所で造影糸の両端を切断する事を特徴とする造影糸切断装置。
【請求項３】
切断された造影糸を掴んだままカウントボックスの中等に落とし込む事でガーゼの中に造影糸が混入する事なく処理したガーゼの枚数と切断した造影糸の数量を正確に数えることが出来るので造影糸の切断不良でガーゼの中に切断した造影糸が混入するのを防ぐことが出来る。
【請求項４】
ガーゼとガーゼの境部分の凡そ30ｍｍ程の中心部分を複数の櫛状の補助板で開いた中心部分を山型に突き上げる事により、ガーゼの境部分を二つの櫛状の補助板の中で山型に屈折させ、山型の上からエアーを吹き付けて、細くて柔らかい綿糸と太くて硬い造影糸を分離し、造影糸だけを切断する事を特徴とする造影糸切断装置。
【発明の詳細な説明】
【技術分野】
【０００１】
本発明は、外科手術で使われるガーゼに関する。
【背景技術】
【０００２】
従来から外科手術等で使われているガーゼには手術の際に患者の体内にガーゼの取り残しを防ぐ為にガーゼの一部に造影糸が使われていて手術の後Ｘ線撮影をして患者の体内のどこにガーゼの取り残しがあるかを確認できる様に成っている。
【０００３】
タテ３００ｍｍヨコ３００ｍｍの外科手術用ガーゼには手術が終了した後、患者の体内にガーゼの取り残しを防ぐ為に、ガーゼのタテ糸の一部にレントゲンに反応する、造影糸が使われていて、手術が終了した後に患者の体をレントゲン撮影し、万一患者の体内にガーゼの取り残しがあれば、患者のどの部分にガーゼが残っているかを、容易に発見する事が出来る様にしている。
ヨコ幅凡そ300ｍｍのガーゼには凡そ300本の細い綿糸のタテ糸が使われていて、此のタテ糸300本の中の1本,又は複数の太く束ねられた造影糸がつかわれている、長く織られたガーゼは凡そ300ｍｍ間隔でガーゼとガーゼの間に30ｍｍ程のヨコ糸の無い部分があってこの30ｍｍのタテ糸の中心をカットして1枚1枚のガーゼが出来上がるのである。
１枚のガーゼはヨコ糸がガーゼの左右に往復していてホツレル事は無いが、タテ方向にはカットした部分がホツレル事があるので、カットした部分が房の様に成ってヨコ糸がホツレルのを防いでいる。
ガーゼを1枚1枚に切断すると、ガーゼのタテ方向にそれぞれ15ｍｍ程の房の部分が出来てタテ糸がホツレルのを防いでいる。この房の部分にも太く束ねられた、造影糸が突き出している為に、患者の臓器に傷を付ける事の無い様に、房の部分に突き出ている、太く束ねられた造影糸を房の部分から切断する必要があり、従来から多くの人の手作業で切り落としていた。
そこでこの発明は凡そ300本の細い綿糸のタテ糸の中に平行して並んでいる太く束ねられた造影糸だけを、細い綿糸を切断する事無く全自動で切断し、切断された太く束ねられた造影糸の1個1個がガーゼの枚数と正確に合っているかを確認してガーゼの中に混ぜ込まない様にカウント出来る様にした造影糸切断装置である。
【０００４】
手術の際に万一電子メス等がガーゼの房部分の造影糸に当たって造影糸の一部が臓器の中に落ちる心配がある為に、あらかじめガーゼの房部分に突き出ている造影糸を切り取る必要がある。
【先行技術文献】
【特許文献】
【０００５】
【特許文献１】特開２００６−２１８１１４号公報
【発明の概要】
【発明が解決しようとする課題】
【０００６】
手術の際に万一電子メス等がガーゼの房の部分に突き出ている造影糸を切断して太くて硬い造影糸の一部を患者の体内に落としてしまう事の無い様人の手作業で房の部分に突き出ている造影糸を切落としていた。
【０００７】
上記における造影糸の切断は非常に手間の掛かる作業でしかも大勢の作業員によって行われていて、作業中に発生するほこりや作業員の体から落ちると考えられる異物等が付着してしまう事がある。
【０００８】
本発明はこのような従来の造影糸の切断作業を全自動化させる為の大きな問題部分である、ガーゼとガーゼの境部分（房となる部分）の沢山の経糸の中から造影糸だけを分離して切断する物である。
【課題を解決するための手段】
【０００９】
そこで本発明は上記目的を達成するためにガーゼとーゼの境の房になる部分を狭く並んだ薄い板の中で屈折させ、この上からエアーを吹き付けて細くて柔らかい綿糸と太くて硬い造影糸を分離させて造影糸だけを切断するものである。
【００１０】
上記第一の解決手段は次の通りである、まずガーゼとガーゼの境部分である、横糸の織られていない凡そ27ｍｍ〜30ｍｍ程の部分をU字型又は二つの細いガイドで構成する櫛状のなかで押し上げガイドで山型に押し上げて、押さえ金具で櫛の両部分を抑えて屈折させ、押上ガイドを下げた所を上からエアーで吹き付ける事により、細くて柔らかい綿糸は下の方へ吹き落され、太くて硬い造影糸だけが櫛状のガイドに支えられて山型のままで残る。
【００１１】
また山型に成った細い綿糸と分離した造影糸は櫛状の板の中でエアーによって分離された造影糸を造影糸掴み金具で掴んで持ち上げてここに両刃の造影糸切断用鋏を差し込んで造影糸の両端を切断する。
【００１２】
上記のごとく造影糸を掴んだ掴み金具は切断した造影糸を確実にカウントボックスの中に落とす事によってガーゼから確実に造影糸が切断できたかを確認することが出来る。
【発明の効果】
【００１３】
本発明は上記目的を達成するためにガーゼとーゼの境の房になる部分を狭く並んだ薄い板の中で屈折させ、この上からエアーを吹き付けて細くて柔らかい綿糸と太くて硬い造影糸を分離させて造影糸だけを切断するものであるから、手術の際に万一電子メス等がガーゼの房部分の造影糸に当たって造影糸の一部が臓器の中に落ちることを確実に防止することができる。
【図面の簡単な説明】
【００１４】
【図１】ガーゼの原反を表す
【図２】ガーゼの境部分とU字型の板が並んだ櫛状の竿
【図３】ガーゼの境部分にU字型の板が並んだ櫛状の竿がガーゼを突き上げた図
【図４】切断工程の説明図１
【図５】切断工程の説明図２
【図６】切断工程の説明図３
【発明を実施するための形態】
【００１５】
従来医療機関で手術の際に使用されているガーゼには手術が終了した後患者の体内にガーゼ等の取り残しがないかをレントゲン撮影をして患者の何処の部分にガーゼが残っているかがわかる様にガーゼの一部分にレントゲンに反応する造影糸が使われている。ガーゼは細く柔らかい綿糸で織られていて横糸は織物の幅凡そ300ｍｍの両方を往復するように織られていて凡そ300ｍｍのタテ方向の両端は横糸がホツレて出て来ない様に15ｍｍ程の横糸の無い（房部分）部分が房の様に成って横糸がほつれにくく成っている、此の房の部分にも太く束ねた造影糸が突き出していて患者の臓器を傷つけれる事の無い様に又手術の際に誤って電気メスがガーゼの房部分に付き出ている造影糸に当たって造影糸が患者の体内に落ちる事の無い様にあらかじめ房の部分に突き出ている造影糸を切断している。この作業は大勢の人の手作業で行なわれているために衛生上問題となって、人手を最小限にした、造影糸自動切断装置の実用化が求められている。
本発明は外科手術で使われるガーゼは主に細い綿糸で織られているが手術の後患者の体内にガーゼの取残しを防止する為にガーゼの一部にレントゲンに反応する造影糸が織り込んである、此の造影糸の一部が患者の臓器を傷つけたり、造影糸の一部に電子メスが触れて患者の臓器の中に落ちる事の無い様にガーゼの両端に突き出ている造影糸をあらかじめ切断する為に、ガーゼとガーゼの境部分を狭く並んだ薄い板状の中で山型に屈折させて上からエアーを吹き付ける事によって太く束ねられた造影糸と細くて柔らかな綿糸を分離させて、造影糸だけを掴んで切断させるのである。
【００１６】
以下、本発明の実施の形態を図1〜図6に基づいて説明する。
ロール状に巻かれたガーゼ1にはガーゼとガーゼの境部2に凡そ30ｍｍ程のヨコ糸の織られていない部分があってこの中心をカットして1枚1枚のガーゼが出来上がるのである。織られてロール状に巻かれたガーゼ1の境部2をセンサーで感知し、Uの字型をした補助板5が約3ｍｍ間隔で並んだ櫛状押し上げるの送り竿6がガーゼの境部2を刺してガーゼ1枚分移動して停止すると,補助板5の中の屈折ガイド7がガーゼの境部2を補助板5の上の方8の位置まで押し上げる、すると補助板5の両側にあるガーゼ押さえ金具9  10が山型になったガーゼの境部2の両端部分を抑え込んで固定する、Uの字型をした補助板5の中でガーゼの境部2は山型に成って固定する、補助板5の中でガーゼの境部2を押し上げていた屈折ガイド8は7の位置まで下がる、すると補助板5の中で山型に11になった上の方12からエアーを吹き付けると軽くて細い綿糸13は補助板5の下の方に吹き落されるが、太く束ねられた造影糸4は補助板5に支えられて下の方に吹き落される事無く山型11のまま留まる。すると補助板5の上から造影糸掴み金具14が降りてきて造影糸4の山の部分15を掴むと補助板5はガーゼ1から抜けて元の位置15まで下がる、綿糸13と分離して山型の造影糸11だけに成った所に造影糸切断用鋏16が入って来て造影糸11の幅いっぱいの所でカッター17が動いて造影糸11の両端を切断してカウントボックスの所まで移動してカウントボックスの中へ落とす事によりガーゼの枚数と切断した造影糸の数を正確に確認する事が出来る事を特徴とした、手術用ガーゼの造影糸切断装置。
【００１７】
図４の１は櫛状の竿がガーゼの境部で固定した図、図４の２は櫛状の竿がガーゼの境部から突き出した図、図４の３は櫛状の竿の下から突き上げガイドがガーゼを山型に押し上げた図、図４の４は突き上げガイドがガーゼを山型に押し上げて更に竿の両側をガーゼ固定金具が固定した図である。図５の１は竿の中でガーゼを押し上げていた押し上げガイドが竿の下に下がった図、図５の２は竿の中で山型に固定 されたガーゼの上からエアーを吹き付けて太い造影糸と細い綿糸を分離する図、図５の３は造影糸掴み金具が降りてきて竿の中で山型になった造影糸の山の部分を掴む図、図５の４は竿がガーゼの下まで下がった図である。図６の１は造影糸掴み金具が造影糸を掴み綿糸と分離した所に造影糸切断用鋏が入って行く図、図６の２は造影糸切断用鋏が山型に成った部分の幅いっぱいまで入り込む図、図６の３は造影糸切断用鋏が幅いっぱいの部分を切断して、造影糸掴み金具は切断した造影糸を掴んだまま造影糸切断確認箱迄運ぶ図である。
【００１８】
図に於いては,竿6はU字型をした補助板5が3ｍｍ〜5ｍｍの間隔で並んで櫛状６の状態になっていて、此の竿6がガーゼとガーゼの境部2の部分を突き出して、ガーゼ1枚づつを運びなおかつ補助板5の中でガーゼ屈折ガイド8によってガーゼを山型に固定してさらにエアーによって造影糸と綿糸を分離しカッターで切断しさらに切断した造影糸を正確に管理できる様にした造影糸切断装置である。
【符号の説明】
【００１９】
１  ガーゼ
２  境部
４  造影糸
５  補助板
１４  造影糸掴み金具
１６  造影糸切断用鋏
１７  カッター
【図１】
2019017398.tif 000003
【図２】
2019017398.tif 000004
【図３】
2019017398.tif 000005
【図４】
2019017398.tif 000006
【図５】
2019017398.tif 000007
【図６】
2019017398.tif 000008